(57)【特許請求の範囲】
【請求項１】
基板にＬＥＤが実装されて構成されたＬＥＤモジュールと、
該ＬＥＤモジュールへの電源の供給機構を内包する筐体部と、
該筐体部において前記ＬＥＤの照射方向側に形成された面である接触面に固定して設置された反射板取り付け具と、
前記ＬＥＤモジュールを覆う筒形状を呈し、前記ＬＥＤの照射方向側の面である照射面が透過性の部材で形成されたカバーと、
前記接触面に固定され、その固定側、及び、前記ＬＥＤの照射方向側が開口した筒状を呈したフレーム部と、
前記フレーム部の内側に装着され、その装着側、及び、前記ＬＥＤの照射方向側が開口した筒状を呈し、その内面に光を反射する反射面が形成された反射板と、
を備え、
前記ＬＥＤモジュールは、前記基板の実装面の裏面が前記接触面に当接して設置され、
前記カバーは、前記ＬＥＤモジュールを覆う態様で、前記接触面に固定され、
前記反射板取り付け具は、前記カバーの外側部分の前記接触面に固定され、
前記フレーム部は、前記接触面への固定側の開口部が、前記カバーを囲う態様で前記接触面に固定され、
前記反射板は、前記反射板取り付け具によって、前記フレーム部の内側に着脱自在に装着される
ことを特徴とする照明器具。
【請求項２】
前記反射板取り付け具は、山形状を呈した湾曲部が形成され、該湾曲部の頂部が前記カバー側に向くように固定され、
前記反射板は、前記フレーム部の内側への装着側の開口部の周縁部から該装着側に向かって取り付け部が立設して形成され、
該取り付け部は、穴が形成され、
前記湾曲部の前記頂部が、前記取り付け部の前記穴に嵌入することによって、前記反射板が前記フレーム部の内側に装着される
ことを特徴とする請求項１記載の照明器具。
【請求項３】
前記カバーは、その側面から外側に向かって突起した突起部が形成され、
前記取り付け部は、前記反射板の装着側の端部から前記ＬＥＤの照射方向側へ向かって切欠きが形成され、
前記反射板が前記フレーム部の内側に装着される場合、前記切欠きに前記突起部が嵌合される
ことを特徴とする請求項２記載の照明器具。
【請求項４】
前記フレーム部は、前記接触面への固定側の開口部の周縁部から該固定側に向かってフレーム取り付け部が立設して形成され、
該フレーム取り付け部は、穴が形成され、
前記湾曲部の前記頂部が、前記フレーム取り付け部の前記穴に嵌入することによって、前記フレーム部が前記接触面に固定され、
前記反射板は、前記取り付け部が、前記フレーム取り付け部と、前記カバーの側面との間に形成された隙間に挿入されることによって装着される
ことを特徴とする請求項２又は請求項３記載の照明器具。
【請求項５】
前記フレーム部は、その内面に光を反射するフレーム内側反射面が形成され、
前記カバーの前記照射面と、前記フレーム内側反射面の前記接触面への固定側の端面とを略面一とした
ことを特徴とする請求項１〜請求項４のいずれか一項に記載の照明器具。
【請求項６】
前記フレーム部は、前記接触面への固定側から前記ＬＥＤの照射方向側にかけて内径が広くなるように形成された
ことを特徴とする請求項５記載の照明器具。
【請求項７】
前記反射板が前記フレーム部の内側に装着された場合、前記カバーの前記照射面と、前記反射面の前記装着側の端面とを略面一とした
ことを特徴とする請求項１〜請求項６のいずれか一項に記載の照明器具。
【請求項８】
前記反射板の前記反射面がバッフルである
ことを特徴とする請求項１〜請求項７のいずれか一項に記載の照明器具。
【請求項９】
前記反射板が前記フレーム部の内側に装着された場合、前記カバーの前記照射面が、前記反射面の前記装着側の端面よりも上方に位置した
ことを特徴とする請求項１〜請求項６のいずれか一項に記載の照明器具。
【請求項１０】
前記反射板は、前記装着側から前記ＬＥＤの照射方向側にかけて内径が広くなるように形成された
ことを特徴とする請求項１〜請求項９のいずれか一項に記載の照明器具。
【請求項１１】
前記フレーム部は、前記ＬＥＤの照射方向側の開口部の周縁部から外側に向かってフランジ状の枠部が形成され、
前記反射板は、前記ＬＥＤの照射方向側の開口部の周縁部から外側に向かってフランジ状の周縁部が形成され、
前記反射板が前記フレーム部の内側に装着された場合、前記周縁部が前記枠部に接触し、
前記反射板が前記フレーム部の内側に装着されている状態において、前記枠部には前記周縁部の外縁に沿って溝が形成された
ことを特徴とする請求項１〜請求項１０のいずれか一項に記載の照明器具。
【発明の詳細な説明】
【技術分野】
【０００１】
本発明は、照明器具に関し、特に、反射板の取り換え構造に関する。
【背景技術】
【０００２】
従来の照明器具として、コンパクト蛍光灯又はＨＩＤ（Ｈｉｇｈ  Ｉｎｔｅｎｓｉｔｙ  Ｄｉｓｃｈａｒｇｅ）ランプ等を光源とするダウンライトの場合、ランプを容易に着脱できる構造となっており、ユーザーは、照明器具、及び、好みの光色及び明るさのランプを別々に購入し、組合せて使用することが一般的である。それに対して、ＬＥＤを光源とするダウンライトの場合、放熱性を高めるためにＬＥＤが実装されたＬＥＤモジュールをアルミダイキャスト製のヒートシンクに直接取り付けられる構造の照明器具が広く普及している（例えば、特許文献１参照）。
【先行技術文献】
【特許文献】
【０００３】
【特許文献１】特開２００８−２０４６９２号公報（第５−６頁、図２）
【発明の概要】
【発明が解決しようとする課題】
【０００４】
しかし、特許文献１に記載された照明器具は、色及び明るさを決定する発光部であるＬＥＤが照明器具と一体となった構造であるため、色と明るさとの組合せ毎に型番の異なる照明器具を用意する必要があり、ランプを光源とした器具と比較して、機種数が多くなる傾向がある。さらに、設置される空間に合わせて、反射板の表面仕上げ及び形状を変えたものを用意すると発生する照明器具の種類は反射板の種類、光束及び光色の種類の数を掛け合わせた数が必要となって、さらに機種数が膨大に増えてしまうという問題点があった。
【０００５】
本発明は、上記のような課題を解決するためになされたものであり、ＬＥＤを光源とした照明器具において、異なる反射板を共通の照明器具によって使用することが可能とすることを目的とする。
【課題を解決するための手段】
【０００６】
本発明に係る照明器具は、基板にＬＥＤが実装されて構成されたＬＥＤモジュールと、該ＬＥＤモジュールへの電源の供給機構を内包する筐体部と、該筐体部において前記ＬＥＤの照射方向側に形成された面である接触面に固定して設置された反射板取り付け具と、前記ＬＥＤモジュールを覆う筒形状を呈し、前記ＬＥＤの照射方向側の面である照射面が透過性の部材で形成されたカバーと、前記接触面に固定され、その固定側、及び、前記ＬＥＤの照射方向側が開口した筒状を呈したフレーム部と、前記フレーム部の内側に装着され、その装着側、及び、前記ＬＥＤの照射方向側が開口した筒状を呈し、その内面に光を反射する反射面が形成された反射板と、を備え、前記ＬＥＤモジュールは、前記基板の実装面の裏面が前記接触面に当接して設置され、前記カバーは、前記ＬＥＤモジュールを覆う態様で、前記接触面に固定され、前記反射板取り付け具は、前記カバーの外側部分の前記接触面に固定され、前記フレーム部は、前記接触面への固定側の開口部が、前記カバーを囲う態様で前記接触面に固定され、前記反射板は、前記反射板取り付け具によって、前記フレーム部の内側に着脱自在に装着されるものである。
【発明の効果】
【０００７】
本発明によれば、反射板を着脱自在に装着することができるので、反射面の表面仕上げ及び形状等が異なる反射板の装着、及び、異なる反射面による照明を１つの照明器具において実施することが可能となる。
【図面の簡単な説明】
【０００８】
【図１】本発明の実施の形態１に係る照明器具１の全体斜視図である。
【図２】本発明の実施の形態１に係る照明器具１の分解斜視図である。
【図３】本発明の実施の形態１に係る照明器具１における反射板取り付け具７の構造図である。
【図４】本発明の実施の形態１に係る照明器具１において後付け反射板１０が装着されていない状態のフレーム部４周辺の断面図である。
【図５】本発明の実施の形態１に係る照明器具１において後付け反射板１０が装着された状態のフレーム部４周辺の内部構造を示す部分断面斜視図である。
【図６】本発明の実施の形態１に係る照明器具１において後付け反射板１０が装着された状態のフレーム部４周辺の断面図である。
【図７】本発明の実施の形態２に係る照明器具１における後付け反射板１０ａの外観斜視図である。
【図８】本発明の実施の形態２に係る照明器具１における後付け反射板１０ａが装着された状態のフレーム部４周辺の断面図である。
【図９】本発明の実施の形態３に係る照明器具１における後付け反射板１０ｂの外観斜視図である。
【図１０】本発明の実施の形態３に係る照明器具１における後付け反射板１０ｂが装着された状態のフレーム部４周辺の断面図である。
【発明を実施するための形態】
【０００９】
実施の形態１．
（照明器具１の構造）
図１は、本発明の実施の形態１に係る照明器具１の全体斜視図であり、図２は、同照明器具１の分解斜視図であり、そして、図３は、同照明器具１における反射板取り付け具７の構造図である。以下、図１〜図３を参照しながら、照明器具１の構造について説明する。また、以下の説明においては、図１及び図２で示される上下左右方向を基準に説明する。
【００１０】
図１で示されるように、本実施の形態に係る照明器具１は、いわゆるダウンライトと呼ばれるものであり、制御電源基板等が収納された電源ケース部２、後述するＬＥＤモジュール６から発生する熱を放熱するためのヒートシンク３、及び、ＬＥＤモジュール６等が取り付けられ、ＬＥＤ５が発する光を下方に照射させるためのフレーム部４を備えている。
【００１１】
電源ケース部２は、前述のように、制御電源基板等が収納されており、後述するＬＥＤモジュール６の各ＬＥＤ５に電源を供給するものである。また、電源ケース部２の下面にヒートシンク３が固定して取り付けられている。
【００１２】
ヒートシンク３は、前述のように、ＬＥＤモジュール６から発生する熱を放熱するものであり、電源ケース部２とフレーム部４とを保持し、照明器具１として一体化する役割を果たす。このとき、ＬＥＤモジュール６は、ヒートシンク３の下部に形成された面であるモジュール接触面３ａに当接して設置される。また、ヒートシンク３は、電源ケース部２にも固定されているので、電源ケース部２の制御電源基板等から発生する熱をも放熱する機能を果たす。
【００１３】
ＬＥＤモジュール６は、単数又は複数のＬＥＤ５が実装された基板であり、ＬＥＤ５が複数実装される場合は、その実装面の中心部に集中するように実装される。これは、ＬＥＤモジュール６の発光部の面積が小さい方が、反射板による光の制御がしやすくなるからである。また、このＬＥＤモジュール６は、その実装面が下側に向くようにして、ヒートシンク３のモジュール接触面３ａに、その実装面の裏面が当接するように設置される。
【００１４】
また、その下面が透過性の樹脂で成形された円筒形状のカバー１７は、ＬＥＤモジュール６全体を下方から覆うような態様で、モジュール接触面３ａにその開口面が当接するように設置される。また、ＬＥＤモジュール６は、具体的には、図４において後述するカバー１７の内部下面から上方に向かって立設されたモジュール支持部１７ａによって、下方から支持されることになる。また、この円筒形状のカバー１７の側面には、外側に向かって突起した複数（図２においては２つ）の突起部１８が形成されている。
なお、カバー１７の下面は透過性の樹脂で成形されているものとしているが、これに限定されるものではなく、透過性のガラスその他の部材で成形されるものとしてもよい。
【００１５】
フレーム部４は、樹脂又はダイキャスト等によって成形され、下方に向かって末広がりとなっている椀形状を呈しており、上端及び下端が開口している。フレーム部４の上側の開口部の周縁部から上方に向かって円筒形状にフレーム取り付け部４ａが立設されている。このフレーム取り付け部４ａには、上端から下方に向かって切り欠かれた複数（図２においては２つ）のフレーム側切欠き１２ａ、及び、角形に開口された複数の（図２においては２つ）のフレーム側角穴１３ａが形成されている。図２においては、フレーム側切欠き１２ａ及びフレーム側角穴１３ａは、それぞれ２つずつ形成されており、円筒形状のフレーム取り付け部４ａにおいて、それぞれ対向するように形成されている。
【００１６】
また、フレーム取り付け部４ａの外側を囲うように、椀形状のフレーム部４の外側から上方に向かって円筒形状にフレーム外周部４ｂが立設されている。この際、このフレーム外周部４ｂの円筒形状の上部の開口面と、フレーム取り付け部４ａの上部の開口面とが面一となるように形成されている。
【００１７】
また、円筒形状のフレーム外周部４ｂの側面から、椀形状のフレーム部４の外側にかけて、照明器具１を天井の開口部に固定するための板状バネ９を固定するための複数（図２においては３つ）の板状バネ取り付け部４ｃが形成されている。
なお、図２で示されるように、板状バネ取り付け部４ｃを３つ形成するものとしているが、これに限定されるものではなく、その他の数だけ形成するものとしてもよい。ただし、板状バネ取り付け部４ｃをなるべく多数形成して、それぞれに固定された板状バネ９によって照明器具１を天井に固定する方が、より安定的に固定することができる。
【００１８】
また、椀形状のフレーム部４の内面には、白色の反射機能を呈したフレーム内側反射面４ｄが形成されている。
【００１９】
さらに、フレーム部４の下側の開口部には、その周縁部から外側に向かってフランジ状に枠部８が形成されている。ここで、前述の板状バネ９は、天井に開けられた穴にこの枠部８を固定し、これによって、照明器具１全体が天井に固定されることになる。
【００２０】
また、モジュール接触面３ａに当接して設置されたＬＥＤモジュール６及びカバー１７の外側部分のモジュール接触面３ａには、弾性力のあるバネ鋼によって成形された複数（図２においては２つ）の反射板取り付け具７が固定されて設置されている。それぞれの反射板取り付け具７には、図３で示されるように、なだらかな山形状を呈した湾曲部１９が形成されている。そして、それぞれの反射板取り付け具７は、モジュール接触面３ａにおいて、湾曲部１９の頂部がカバー１７側に向くように固定されている。
【００２１】
後付け反射板１０は、アルミニウム等の板材等をヘラ絞り加工等で成形され、下方に向かって末広がりとなっている椀形状を呈しており、上端及び下端が開口している。後付け反射板１０の上側の開口部の周縁部から上方に向かって円筒形状に取り付け部１１が立設されている。この取り付け部１１には、上端から下方に向かって切り欠かれた複数（図２においては２つ）の切欠き１２、及び、角形に開口された複数（図２においては２つ）の角穴１３が形成されている。図２においては、切欠き１２及び角穴１３は、それぞれ２つずつ形成されており、円筒形状の取り付け部１１において、それぞれ対向するように形成されている。また、後付け反射板１０の下側の開口部には、その周縁部から外側に向かってフランジ状に周縁部１４が形成されている。また、椀形状の後付け反射板１０の内面には、アルマイト処理が施された銀色の鏡面又は反鏡面仕上げ等、後述する後付け反射板１０のフレーム部４への装着前の、フレーム部４のフレーム内側反射面４ｄの表面処理とは異なる処理が施された後付け反射面２０が形成されている。
【００２２】
なお、電源ケース部２及びヒートシンク３は、本発明の「筐体部」に相当し、カバー１７の下面は、本発明の「照射面」に相当する。
【００２３】
図４は、本発明の実施の形態１に係る照明器具１において後付け反射板１０が装着されていない状態のフレーム部４周辺の断面図である。以下、図４を参照しながら、図１〜図３において説明した各部品がどのように組み立てられるかを中心に説明する。
【００２４】
図４で示されるように、ＬＥＤモジュール６は、その実装面が下側に向くようにして、実装面の裏面がヒートシンク３のモジュール接触面３ａに当接するように設置される。このモジュール接触面３ａに当接したＬＥＤモジュール６の実装面全体を覆うようにして、カバー１７の開口面がモジュール接触面３ａに当接するように設置される。このとき、カバー１７内のモジュール支持部１７ａが、ＬＥＤモジュール６の実装面をモジュール接触面３ａに密着するように押し付けるように下方から支持する。これによって、ＬＥＤモジュール６のＬＥＤ５が点灯することによって発生する熱は、ＬＥＤモジュール６の基板を介して、効率的にヒートシンク３に伝達してヒートシンク３から外部に放熱される。
【００２５】
また、カバー１７の外側には、２つの反射板取り付け具７が、その湾曲部１９の頂部がカバー１７側に向くようにして、モジュール接触面３ａに固定されている。
【００２６】
そして、フレーム部４のフレーム取り付け部４ａが、カバー１７を囲うようにして、フレーム部４のフレーム取り付け部４ａ及びフレーム外周部４ｂのそれぞれの円筒形状の上部の開口端がモジュール接触面３ａに当接するように押し付けて設置する。このとき、カバー１７の側面に形成された２つの突起部１８が、それぞれ、フレーム部４のフレーム取り付け部４ａに形成された２つのフレーム側切欠き１２ａに嵌合するように、フレーム部４を設置する。すなわち、カバー１７に形成された突起部１８は、フレーム部４の円周方向の位置決めをする機能を有する。このとき、フレーム部４のフレーム取り付け部４ａと、カバー１７の側面との間には所定幅（例えば、２［ｍｍ］〜４［ｍｍ］程度）の隙間１５が形成される。さらに、突起部１８がフレーム側切欠き１２ａに嵌合した際、モジュール接触面３ａに固定された２つの反射板取り付け具７の湾曲部１９の頂部が、それぞれ、フレーム取り付け部４ａに形成された２つのフレーム側角穴１３ａに嵌入し、隙間１５内まで入り込む態様となる。このとき、カバー１７の下面と、フレーム内側反射面４ｄの上端面（フレーム取り付け部４ａの下端面）とは略面一となるように構成する。これによって、カバー１７においては下面が透過性の樹脂であり、下面を介してＬＥＤ５が照射する光が透過するので、後付け反射板１０がフレーム部４に装着されていない状態において、ＬＥＤ５が点灯した場合にフレーム内側反射面４ｄへの陰影の映り込みを抑制することができる。例えば、カバー１７の下面が、フレーム内側反射面４ｄの上端よりも下方に向かって突き出た態様となっている場合、カバー１７内において点灯したＬＥＤ５の光は、カバー１７の下面からのみ透過して照射され、カバー１７の側面からは照射されない。このようにカバー１７の側面から光が照射されないことによって、カバー１７の側面近傍のフレーム内側反射面４ｄの部分に陰影が映り込んでしまうことになる。
【００２７】
また、枠部８の下面側かつ内側の円周上には溝１６が形成されている。この溝１６が形成されていることによる効果は、図５及び図６において、後述する。
【００２８】
以上のような態様によって構成された照明器具１において、ＬＥＤモジュール６のＬＥＤ５が点灯することによって発した光は、カバー１７の下面を透過し、その一部の光はフレーム部４内を通過して下方に向かって照射され、その他の光は、フレーム部４のフレーム内側反射面４ｄによって反射されて下方に向かう。
【００２９】
図５は、本発明の実施の形態１に係る照明器具１において後付け反射板１０が装着された状態のフレーム部４周辺の内部構造を示す部分断面斜視図であり、図６は、同フレーム部４周辺の断面図である。以下、図５及び図６を参照しながら、後付け反射板１０がフレーム部４の内側に装着する動作を中心に説明する。
【００３０】
まず、後付け反射板１０を、その取り付け部１１が隙間１５に挿入するように上方に押し込む。このとき、カバー１７の側面に形成された２つの突起部１８が、それぞれ、後付け反射板１０の取り付け部１１に形成された２つの切欠き１２に嵌合するように、後付け反射板１０を押し込む。すなわち、突起部１８と切欠き１２との位置が合った場合のみ、後付け反射板１０の取り付け部１１は、隙間１５に挿入することが可能となる。これによって、後付け反射板１０の円周方向のずれの発生が抑制され、後付け反射板１０の誤った取り付けを防止することができる。
【００３１】
上記のように後付け反射板１０の取り付け部１１が隙間１５に挿入するように押し込むと、前述のように、２つの反射板取り付け具７の湾曲部１９の頂部は、隙間１５内まで入り込んでいるので、取り付け部１１はそれぞれの湾曲部１９に触れることになる。そのまま、後付け反射板１０を押し込むと、２つの反射板取り付け具７は、取り付け部１１の側面によって、隙間１５内に入り込んだ分だけ外側に広げられることになる。さらに、後付け反射板１０を押し込むと、２つの反射板取り付け具７の湾曲部１９の頂部が、それぞれ、取り付け部１１に形成された２つの角穴１３に嵌入した状態となる。このとき、外側に広げられた２つの反射板取り付け具７は、バネ鋼によって成形されているので元の形状に戻り、湾曲部１９の上側が角穴１３の上端を押し上げる状態となり、後付け反射板１０の周縁部１４が、フレーム部４の枠部８に接触した状態で安定する。この際、カバー１７の下面と、後付け反射面２０の上端面（取り付け部１１の下端面）とは略面一となる。
【００３２】
以上のような態様によって、後付け反射板１０は、フレーム部４の内側に安定して装着することができる。
【００３３】
また、上記のような態様によって、後付け反射板１０をフレーム部４の内側に装着した場合、周縁部１４が枠部８に接触した状態となるが、枠部８には、図６で示されるように、周縁部１４の外縁に沿って溝１６が形成されており、後付け反射板１０をフレーム部４から取り外す際に、使用者の手の爪が挿入しやすくなり、容易に後付け反射板１０を取り外すことができる。
【００３４】
（実施の形態１の効果）
以上のような構成によって、後付け反射板１０をフレーム部４から着脱自在に装着することができるので、フレーム部４のフレーム内側反射面４ｄ、及び、後付け反射板１０の後付け反射面２０のように、表面仕上げ及び形状等が異なるものによる照明が、１つの照明器具１において可能となる。さらにいうと、反射板として、本実施の形態においては後付け反射板１０を例にして説明したが、表面仕上げ及び形状等がさらに異なる別の反射板を使用することができるのは言うまでもない。上記の効果が得られるのは、本実施の形態に係る照明器具１の構成によって、フレーム部４の内側に後付け反射板１０を安定的に装着し、さらに、容易に取り外しが可能であることによる。
【００３５】
また、上記のように、後付け反射板１０の取り外しを容易としているのは、フレーム部４の枠部８に、後付け反射板１０の周縁部１４の外縁部に沿って溝１６を形成し、後付け反射板１０の取り外しの際に、使用者の手の爪が挿入しやすくしているからである。
【００３６】
また、ＬＥＤモジュール６を覆うカバー１７の側面に突起部１８を形成し、後付け反射板１０の取り付け部１１には切欠き１２を形成して、互いの位置が合った場合のみ、突起部１８及び切欠き１２は嵌合して、後付け反射板１０を装着することが可能となっている。これによって、後付け反射板１０の円周方向のずれの発生が抑制され、後付け反射板１０の誤った取り付けを防止することができる。
【００３７】
また、ヒートシンク３にＬＥＤモジュール６、カバー１７及びフレーム部４を設置した際、カバー１７の下面と、フレーム内側反射面４ｄの上端面（フレーム取り付け部４ａの下端面）とは略面一となるように構成している。これによって、カバー１７の下面を介してＬＥＤ５が照射する光が透過するので、後付け反射板１０がフレーム部４に装着されていない状態において、ＬＥＤ５が点灯した場合にフレーム内側反射面４ｄへの陰影の映り込みを抑制することができる。
【００３８】
そして、カバー１７内のモジュール支持部１７ａが、ＬＥＤモジュール６の実装面をモジュール接触面３ａに密着するように押し付けるように下方から支持しているので、ＬＥＤ５が点灯することによって発生する熱は、ＬＥＤモジュール６の基板を介して、効率的にヒートシンク３に伝達してヒートシンク３から外部に放熱される。
【００３９】
なお、図２で示されるように、突起部１８、切欠き１２及びフレーム側切欠き１２ａは、それぞれ２つ形成されるものとしているが、これに限定されるものではなく、１つ又は３つ以上形成するものとしてもよい。
また、反射板取り付け具７は２つ設置されるものとし、角穴１３及びフレーム側角穴１３ａはそれぞれ２つ形成されるものとしているが、これに限定されるものではなく、１つ又は３つ以上形成するものとしてもよい。ただし、反射板取り付け具７を少なくとも２つ以上設置し、角穴１３及びフレーム側角穴１３ａをそれぞれ反射板取り付け具７と同数だけ形成するものとした方が、より安定して、後付け反射板１０をフレーム部４の内側に装着することができる。
【００４０】
また、図４及び図６で示されるように、モジュール接触面３ａに固定された反射板取り付け具７は、フレーム部４のフレーム取り付け部４ａに形成されたフレーム側角穴１３ａに湾曲部１９を嵌入させることによってフレーム部４を固定するとともに、後付け反射板１０の取り付け部１１に形成された角穴１３に湾曲部１９を嵌入させることによって後付け反射板１０を装着させているが、この構成に限定されるものではない。すなわち、反射板取り付け具７によって固定するのは、後付け反射板１０のみとし、フレーム部４は別の固定手段によってモジュール接触面３ａに固定されるものとしてもよい。例えば、フレーム部４におけるフレーム取り付け部４ａに相当する部分がないものとし、フレーム外周部４ｂを所定の固定手段によってモジュール接触面３ａに固定させる構成が考えられる。また、図４及び図６で示されるように、モジュール接触面３ａに対して、反射板取り付け具７はフレーム取り付け部４ａの外側に固定されるものとしているが、反射板取り付け具７を隙間１５内に固定し、その湾曲部１９によって、後付け反射板１０のみを固定する構成としてもよい。この場合、フレーム取り付け部４ａにはフレーム側角穴１３ａを形成する必要はなく、フレーム取り付け部４ａ又は／及びフレーム外周部４ｂを異なる固定手段によって固定するものとすればよい。
【００４１】
また、図４で示されるフレーム部４のフレーム内側反射面４ｄは反射機能を有するものとし、後付け反射板１０が装着されていない状態でも、照明器具１はダウンライトとしての機能を有するものとしているが、この構成に限定されるものではない。すなわち、後付け反射板１０その他の反射板が必ずフレーム部４に装着して使用するものとした場合、フレーム内側反射面４ｄに反射機能を備える必要はない。
【００４２】
実施の形態２．
本実施の形態に係る照明器具１について、実施の形態１に係る照明器具１と相違する点を中心に説明する。
【００４３】
（照明器具１の構造）
図７は、本発明の実施の形態２に係る照明器具１における後付け反射板１０ａの外観斜視図であり、図８は、同照明器具１における後付け反射板１０ａが装着された状態のフレーム部４周辺の断面図である。
図７及び図８で示されるように、本実施の形態に係る照明器具１のフレーム部４の内側に装着する後付け反射板１０ａは、その内面である後付け反射面２０ａがバッフルとなっている。このように、後付け反射板１０ａの後付け反射面２０ａをバッフルとすることによって、後付け反射板１０ａの下側の開口部の径を、例えば、実施の形態１の後付け反射板１０の下側の開口部の径よりも小さくすることができる。
【００４４】
（実施の形態２の効果）
以上のように、実施の形態１においても述べたように、フレーム内側反射面４ｄ及び後付け反射面２０の他、本実施の形態の後付け反射板１０ａのように、表面仕上げ及び形状等が異なる後付け反射面２０ａによる照明が、後付け反射板１０ａへの交換によって、１つの照明器具１において可能となる。
【００４５】
また、後付け反射板１０ａの後付け反射面２０ａをバッフルとすることによって、後付け反射板１０ａの下側の開口部の径を、実施の形態１の後付け反射板１０の下側の開口部の径よりも小さくすることができる。
【００４６】
実施の形態３．
本実施の形態に係る照明器具１について、実施の形態１に係る照明器具１と相違する点を中心に説明する。
【００４７】
（照明器具１の構造）
図９は、本発明の実施の形態３に係る照明器具１における後付け反射板１０ｂの外観斜視図であり、図１０は、同照明器具１における後付け反射板１０ｂが装着された状態のフレーム部４周辺の断面図である。
図９及び図１０で示されるように、本実施の形態に係る照明器具１の後付け反射板１０ｂは、実施の形態１における後付け反射板１０と同様に、アルミニウム等の板材等をヘラ絞り加工等で成形され、下方に向かって末広がりとなっている椀形状を呈しており、上端及び下端が開口している。しかし、後付け反射板１０ｂの上側の開口部の周縁部から上方に向かって円筒形状に立設された取り付け部１１ａは、実施の形態１における取り付け部１１よりも立設方向の長さが大きくなるように形成されている。ただし、この取り付け部１１ａの円筒形状の径は、後付け反射板１０ｂの上側の開口部の径よりも大きくなるように成形されている。また、椀形状の後付け反射板１０ｂの内面には、アルマイト処理が施された銀色の鏡面又は反鏡面仕上げ等、後付け反射板１０ｂのフレーム部４への装着前の、フレーム部４のフレーム内側反射面４ｄの表面処理とは異なる処理が施された後付け反射面２０ｂが形成されている。
【００４８】
後付け反射板１０ｂをフレーム部４の内側に装着する動作は、実施の形態１における後付け反射板１０を装着する動作と同様である。しかし、図１０で示されるように、後付け反射板１０ｂの取り付け部１１ａは、実施の形態１の後付け反射板１０の取り付け部１１よりも立設方向の長さが大きいので、実施の形態１の構成とは異なり、カバー１７の下面と、後付け反射面２０ｂの上端面（取り付け部１１ａの下端面）とは面一とはならない。すなわち、カバー１７の下面は、後付け反射面２０ｂの上端よりも上方に位置する構成となる。この構成によって、ＬＥＤモジュール６のＬＥＤ５の点灯によって発した光は、後付け反射面２０ｂに反射しても下方向に反射するように制御されることになり、照明器具１を真下から見ない限りにおいて、眩しさ（グレア）を感じることがない。
【００４９】
（実施の形態３の効果）
以上のように、実施の形態１においても述べたように、フレーム内側反射面４ｄ及び後付け反射面２０の他、本実施の形態の後付け反射板１０ｂのように、表面仕上げ及び形状等が異なる後付け反射面２０ｂによる照明が、後付け反射板１０ｂへの交換によって、１つの照明器具１において可能となる。
【００５０】
さらに、カバー１７の下面は、後付け反射面２０ｂの上端よりも上方に位置するように構成することによって、ＬＥＤモジュール６のＬＥＤ５の点灯によって発した光を、後付け反射面２０ｂによって下方向に反射するように制御することができる。また、これによって、照明器具１を真下から見ない限り、眩しさ（グレア）を感じることがない。
【符号の説明】
【００５１】
１  照明器具、２  電源ケース部、３  ヒートシンク、３ａ  モジュール接触面、４  フレーム部、４ａ  フレーム取り付け部、４ｂ  フレーム外周部、４ｃ  板状バネ取り付け部、４ｄ  フレーム内側反射面、５  ＬＥＤ、６  ＬＥＤモジュール、７  反射板取り付け具、８  枠部、９  板状バネ、１０、１０ａ、１０ｂ  後付け反射板、１１、１１ａ  取り付け部、１２  切欠き、１２ａ  フレーム側切欠き、１３  角穴、１３ａ  フレーム側角穴、１４  周縁部、１５  隙間、１６  溝、１７  カバー、１７ａ  モジュール支持部、１８  突起部、１９  湾曲部、２０、２０ａ、２０ｂ  後付け反射面。
【図１】
0005837425.tif 000002
【図２】
0005837425.tif 000003
【図３】
0005837425.tif 000004
【図４】
0005837425.tif 000005
【図５】
0005837425.tif 000006
【図６】
0005837425.tif 000007
【図７】
0005837425.tif 000008
【図８】
0005837425.tif 000009
【図９】
0005837425.tif 000010
【図１０】
0005837425.tif 000011